(57)【要約】【課題】原稿の読み取り精度の向上を図るとともに、光源移動機構の小型化および画像読取装置における消費電力の低減を図ること。【解決手段】原稿を保持する原稿台ガラスを備える本体ハウジング２１０および当該本体ハウジング２１０に対してヒンジ機構４００を介して回動自在に連結されたＴＰＵユニット１２０を備える画像読取装置において、ＴＰＵユニット１２０に設けられた透過用光源部３００を副走査方向に移動可能に支持する動力伝達機構と、モータが発生した駆動力を用いて本体ハウジング２１０内に設けられた撮像素子を副走査方向に移動させる撮像素子移動機構と、を駆動ベルト２２５を用いて連動可能に連結する連結機構を設けた。【選択図】図５
2008039798.tif 000002
【特許請求の範囲】
【請求項１】
原稿を保持する原稿台を備える本体ハウジングおよび当該本体ハウジングに対してヒンジ機構を介して回動自在に連結されたカバー部材を備える画像読取装置において、
前記カバー部材に設けられた光源と、
前記カバー部材に設けられて前記光源を副走査方向に移動可能に支持する光源移動機構と、
前記本体ハウジング内に設けられた撮像素子と、
前記本体ハウジング内に設けられて駆動源が発生した駆動力を用いて前記撮像素子を前記副走査方向に移動させる撮像素子移動機構と、
帯状部材を用いて前記光源移動機構と前記撮像素子移動機構とを連動可能に連結する連結機構と、
を備えることを特徴とする画像読取装置。
【請求項２】
前記帯状部材は、前記ヒンジ機構またはその近傍を経由するようにして前記光源移動機構と前記撮像素子移動機構との間に架け渡されていることを特徴とする請求項１に記載の画像読取装置。
【請求項３】
前記連結機構は、単一の帯状部材を用いて前記光源移動機構と前記撮像素子移動機構とを連動可能に連結することを特徴とする請求項１または２に記載の画像読取装置。
【請求項４】
前記光源は、ＬＥＤによって構成されていることを特徴とする請求項１〜３のいずれか一つに記載の画像読取装置。
【請求項５】
請求項１〜４のいずれか一つに記載の画像読取装置と、
前記画像読取装置が備える撮像素子に入射された光の強弱に応じた画像を記録媒体上に形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿台を間にして対向配置された光源および撮像素子を備え、光源および撮像素子を副走査方向に沿って往復移動させながら、光源から照射された光を撮像素子によって受光することで透過型の原稿を読み取る画像読取装置がある。このような画像読取装置における光源および撮像素子は、読み取り動作の起点となるホームポジションと、ホームポジションとは反対側に設けられてホームポジションへの移動を開始する折り返しポジションと、の間を移動する。
【０００３】
このような画像読取装置には、原稿を原稿台に押さえるとともに、撮像素子へ不要な外光が入射することを防止するためのカバー部材を備え、このカバー部材に設けられた光源を、撮像素子を往復移動させる移動機構とは別の移動機構によって移動させるようにしたものがある。このような画像読取装置においては、光源を移動させる移動機構と撮像素子を移動させる移動機構とは、それぞれが独立した駆動源を備えている。
【０００４】
そして、このような画像読取装置においては、光源と撮像素子とがそれぞれ独立した移動機構によって往復移動することから、光源と撮像素子との副走査方向における相対的な位置を合わせるためのセンサを備え、センサによって検出された検出結果に応じて光源と撮像素子との同期をとっている（たとえば、下記特許文献１参照。）。
【０００５】
【特許文献１】特開平７−２３１３７８号公報
【発明の開示】
【発明が解決しようとする課題】
【０００６】
しかしながら、上述した従来の技術では、光源および撮像素子をそれぞれ独立した移動機構を用いて往復移動させるために、移動に際しての光源および撮像素子の副走査方向における相対的な位置にずれが生じ、読み取り精度が低下するという問題がある。また、上述した従来の技術では、光源および撮像素子をそれぞれ独立した移動機構を用いて往復移動させるために、画像読取装置が大型化したり消費電力が多くなったりするという問題がある。特に、光源を移動させる移動機構および駆動源がカバー部材に設けられている画像読取装置では、カバー部材が大型化し、原稿をセットするためにカバー部材を動かす作業が煩わしいという問題がある。
【０００７】
また、上述した特許文献１に記載された技術では、光源と撮像素子との同期をとるために、ユニット側キャリッジに位置検出センサを搭載する必要があり、装置の製造コストが増加してしまうという問題がある。
【課題を解決するための手段】
【０００８】
この発明にかかる画像読取装置は、原稿を保持する原稿台を備える本体ハウジングおよび当該本体ハウジングに対してヒンジ機構を介して回動自在に連結されたカバー部材を備える画像読取装置において、前記カバー部材に設けられた光源と、前記カバー部材に設けられて前記光源を副走査方向に移動可能に支持する光源移動機構と、前記本体ハウジング内に設けられた撮像素子と、前記本体ハウジング内に設けられて駆動源が発生した駆動力を用いて前記撮像素子を前記副走査方向に移動させる撮像素子移動機構と、帯状部材を用いて前記光源移動機構と前記撮像素子移動機構とを連動可能に連結する連結機構と、を備えることを特徴とする。
【０００９】
したがって、画像読取装置においては、光源および撮像素子を、副走査方向に連動させることができる。これによって画像読取装置は、移動に際しての光源および撮像素子の副走査方向における相対的な位置にずれが生じることによる、読み取り精度の低下を防止することができる。
【００１０】
また、画像読取装置においては、光源および撮像素子を、同じ駆動源の駆動力を用いて連動させることができる。これによって画像読取装置は、光源移動機構の小型化および画像読取装置における消費電力の低減を図ることができる。
【００１１】
これによって画像読取装置は、原稿の読み取り精度の向上を図るとともに、光源移動機構の小型化および画像読取装置における消費電力の低減を図ることができる。そして、これによって利用者は、小型で消費電力を抑制した画像読取装置を使用して、原稿の画像を高精度に再現した画像データを得ることができる。
【００１２】
また、画像読取装置においては、帯状部材を用いることで、駆動源で発生した駆動力を光源移動機構へ伝達するために回転する各部品や駆動源，光源移動機構，あるいは撮像素子移動機構において回転する各部品の回転軸心方向が異なっていても、駆動源で発生した駆動力を光源移動機構および撮像素子移動機構に伝達して、光源および撮像素子を副走査方向に連動させることができる。
【００１３】
これによって画像読取装置は、光源および撮像素子を同じ駆動源の駆動力を用いて連動させる場合にも設計の自由度の向上を図り、設計上の制限に起因して部品点数が増加したり、画像読取装置が大型化したりすることを防止できる。そして、これによって利用者は、小型で消費電力を抑制した画像読取装置を使用して、原稿の画像を高精度に再現した画像データを得ることができる。
【００１４】
また、この発明にかかる画像読取装置における前記帯状部材は、前記ヒンジ機構またはその近傍を経由するようにして前記光源移動機構と前記撮像素子移動機構との間に架け渡されていることを特徴とする。
【００１５】
したがって、画像読取装置においては、本体ハウジングに対するカバー部材の位置に拘わらず、光源移動機構と撮像素子移動機構とを常時連結することができる。これによって画像読取装置は、光源と撮像素子との副走査方向における相対的な位置を合わせるためのセンサを用いることなく、光源と撮像素子との副走査方向における相対的な位置を原稿の読み取りに適した位置に保持することができる。
【００１６】
また、これによって画像読取装置は、製造コストを増加させることなく、原稿の読み取り精度の向上を図るとともに、光源移動機構の小型化および画像読取装置における消費電力の低減を図ることができる。そして、これによって利用者は、消費電力を抑制した小型の画像読取装置を使用して、原稿の画像を高精度に再現した画像データを得ることができる。
【００１７】
また、この発明にかかる画像読取装置における前記連結機構は、単一の帯状部材を用いて前記光源移動機構と前記撮像素子移動機構とを連動可能に連結することを特徴とする。
【００１８】
したがって、画像読取装置においては、光源および撮像素子を高精度に同期させて連動させることができる。これによって画像読取装置は、原稿の読み取り精度の向上を図ることができる。そして、これによって利用者は、消費電力を抑制した小型の画像読取装置を使用して、原稿の画像を高精度に再現した画像データを得ることができる。
【００１９】
また、画像読取装置においては、１箇所で帯状部材のテンションを調整することができる。これによって画像読取装置は、テンション調整のための部品点数の増加やテンション調整のための部品を設けることによる画像読取装置の大型化を抑えつつ、原稿の読み取り精度の向上を図ることができる。そして、これによって利用者は、消費電力を抑制した小型の画像読取装置を使用して、原稿の画像を高精度に再現した画像データを得ることができる。
【００２０】
また、この発明にかかる画像読取装置における前記光源は、ＬＥＤによって構成されていることを特徴とする。
【００２１】
したがって、画像読取装置においては、点灯直後から原稿の読み取りが可能になり、ＬＥＤに代えて蛍光管を用いた場合と比較して照射光量の安定化を図ることができる。これによって、画像読取装置は、原稿の読み取りを迅速に開始するとともに、読み取り精度の向上を図ることができる。これによって、利用者は、高精度な画像データを迅速に得ることができる。
【００２２】
また、画像読取装置は、ＬＥＤを用いることによってＬＥＤに代えて蛍光管を用いた場合と比較して、消費電力を抑え、ランニングコストを低く抑えることができる。これによって利用者は、消費電力およびランニングコストの低い画像読取装置を用いて、高精度な画像データを得ることができる。
【００２３】
また、この発明にかかる複合機は、上述した画像読取装置と、前記画像読取装置が備える撮像素子に入射された光の強弱に応じた画像を記録媒体上に形成する画像形成装置と、を備えることを特徴とする。
【００２４】
したがって、複合機においては、上述した画像読取装置における撮像素子に対して変位する光源を、同じ駆動源の駆動力を用いて撮像素子の移動に連動させることができる。これによって複合機は、画像読取装置における読み取り精度の低下を防止し、光源移動機構の小型化および画像読取装置における消費電力の低減を図ることができる。そして、これによって利用者は、消費電力を抑制した小型の複合機を使用して、高精度な画像データを得ることができる。
【発明を実施するための最良の形態】
【００２５】
以下に添付図面を参照して、この発明にかかる画像読取装置および複合機の好適な実施の形態を詳細に説明する。
【００２６】
（実施の形態１）
以下に添付図面を参照して、この発明にかかる画像読取装置の好適な実施の形態１を詳細に説明する。この実施の形態１は、この発明にかかる画像読取装置を実現するスキャナ装置への適用例を示す。
【００２７】
図１は、実施の形態１にかかるスキャナ装置の外観を示す斜視図である。はじめに、図１を用いて、実施の形態１にかかるスキャナ装置の外観について説明する。図１に示すように、スキャナ装置１００は、本体ユニット１１０と、透過型原稿用光源ユニット（以下、「ＴＰＵユニット」という）１２０と、を備えている。実施の形態１においては、ＴＰＵユニット１２０によってカバー部材が実現されている。
【００２８】
ＴＰＵユニット１２０は、本体ユニット１１０に対して対向配置されており、ヒンジ機構（図４参照）を介して、本体ユニット１１０に連結されている。ＴＰＵユニット１２０は、ヒンジ機構における本体ユニット１１０とＴＰＵユニット１２０との連結部分を支点にして、図１に示す状態から本体ユニット１１０に対して離反する方向に回動可能に連結されている。
【００２９】
図２は、実施の形態１にかかるスキャナ装置１００の縦断正面図である。つぎに、図２を用いて、実施の形態１のスキャナ装置１００の概略構成について説明する。図２に示すように、スキャナ装置１００は、本体ユニット１１０の外郭をなす本体ハウジング２１０と、ＴＰＵユニット１２０の外郭をなすＴＰＵハウジング２３０と、を備えている。
【００３０】
本体ハウジング２１０およびＴＰＵハウジング２３０は、それぞれ、上下方向に分離可能な２つのパーツを主体として形成されている。格別な符号は省略するが、以降、適宜、本体ハウジング２１０およびＴＰＵハウジング２３０の上側を構成する部分を、上側本体ハウジング、上側ＴＰＵハウジングとして説明する。同様に、本体ハウジング２１０およびＴＰＵハウジング２３０の下側を構成する部分を、下側本体ハウジング、下側ＴＰＵハウジングとして説明する。
【００３１】
はじめに、本体ユニット１１０の概略構成について説明する。本体ユニット１１０における本体ハウジング２１０は、ＴＰＵハウジング２３０に向かって開口する開口部２１１を備えている。開口部２１１には、開口部２１１を閉塞するように原稿台ガラス２１２が設けられている。
【００３２】
この実施の形態１では、開口部２１１および原稿台ガラス２１２によって読取窓が実現され、本体ハウジング２１０における開口部２１１周辺部によって枠部材が実現されている。原稿台ガラス２１２上には、読み取り対象となる原稿が載置される。
【００３３】
本体ハウジング２１０および原稿台ガラス２１２によって形成される空間２１３には、原稿台ガラス２１２に載置された原稿の画像を光学的に読み取るための光学部材２１４が設けられている。光学部材２１４としては、原稿台ガラス２１２に向けて光を照射する反射用光源２１５、反射用光源２１５から照射され原稿において反射された光を所定の経路に導く複数のミラー２１６、ミラー２１６によって導かれた光を受光する撮像素子２１７、ミラー２１６によって導かれた光を撮像素子２１７に結像させるレンズ２１８などが挙げられる。
【００３４】
撮像素子２１７としては、たとえば、受光面に結像された光学像を光電変換して、素子ごとの受光量に応じた電気信号を出力するフォトダイオードを用いることが可能である。スキャナ装置１００においては、前述のフォトダイオードが走査回路基板２１９上において主走査方向に沿って直線的に配列されることによって構成されるリニアイメージセンサが、撮像素子２１７として用いられている。
【００３５】
また、空間２１３には、スキャナキャリッジ２２０が設けられている。スキャナキャリッジ２２０は、原稿台ガラス２１２と平行であって、かつ、副走査方向に延出するキャリッジガイド２２１に沿って摺動自在に設けられている。
【００３６】
スキャナキャリッジ２２０には、駆動源としてのモータ２２２に連結された撮像素子移動機構２２３を介して、駆動源としてのモータ２２２で発生させた駆動力が伝達される。モータ２２２は、たとえばステッピングモータのように、駆動量を制御可能な機能を備えるものが用いられる。
【００３７】
撮像素子移動機構２２３は、モータ２２２の駆動軸に連結されたギア列や、ギア列を構成するプーリ（図５参照）と従動プーリ２２４との間に架け渡された帯状部材としての駆動ベルト２２５などによって構成されている。スキャナキャリッジ２２０は、駆動ベルト２２５に連結されている。
【００３８】
スキャナキャリッジ２２０は、モータ２２２で発生させた駆動力が撮像素子移動機構２２３を介して伝達されることによって、原稿台ガラス２１２に沿って副走査方向に移動する。スキャナキャリッジ２２０は、原稿の読み取りを開始する側の端部位置に設定されたホームポジションと、原稿を読み取り後ホームポジションに向けて折り返す位置に設定された折り返しポジションとの間を往復移動する。上述した光学部材２１４は、スキャナキャリッジ２２０に搭載されている。光学部材２１４は、スキャナキャリッジ２２０の移動にともなって、原稿台ガラス２１２に沿って副走査方向に移動する。
【００３９】
つぎに、ＴＰＵユニット１２０の概略構成について説明する。ＴＰＵユニット１２０におけるＴＰＵハウジング２３０には、本体ハウジング２１０に対向する側に、本体ハウジング２１０に向かって開口する開口部２３１が設けられている。また、ＴＰＵハウジング２３０は、開口部２３１を覆う位置に、保護マット２３２が設けられている。保護マット２３２は、ＴＰＵハウジング２３０に対して着脱自在に設けられている。
【００４０】
ＴＰＵハウジング２３０には、光源としての透過用光源部（図３参照）が設けられている。透過用光源部は、写真用フィルムなどのような光透過型の原稿の読み取り動作に際して使用され、原稿台ガラス２１２に向けて光を照射する。透過用光源部は、原稿台ガラス２１２に沿って副走査方向に移動可能に設けられている。
【００４１】
ＴＰＵハウジング２３０には、上述したモータ２２２の駆動力を透過用光源部に伝達する光源移動機構としての動力伝達機構（図４参照）が設けられている。詳細は後述するが、ＴＰＵユニット１２０に設けられた動力伝達機構は、上述した駆動ベルト２２５を含んでおり、モータ２２２の駆動力を駆動ベルト２２５を用いて動力伝達機構に伝達することによって、透過用光源部を副走査方向に移動させる。
【００４２】
すなわち、スキャナ装置１００においては、モータ２２２の駆動力を単一の駆動ベルト２２５を用いて撮像素子移動機構２２３および動力伝達機構に伝達し、スキャナキャリッジ２２０および透過用光源部を単一のモータ２２２の駆動力によって駆動する。モータ２２２が駆動している最中は、モータ２２２の駆動力が駆動ベルト２２５を介して、スキャナキャリッジ２２０および透過用光源部に常時伝達される。
【００４３】
このため、透過用光源部は、透過用光源部におけるＬＥＤ（図３参照）の点灯の有無に拘わらずスキャナキャリッジ２２０とともに副走査方向に沿って移動する。透過用光源部は、原稿の照射を開始する側の端部位置に設定されたホームポジションと、原稿を照射後ホームポジションに向けて折り返す位置に設定された折り返しポジションとの間を往復移動する。
【００４４】
フィルムのような光透過型の原稿（以下、「フィルム」という）の読み取り動作に際しては、原稿台ガラス２１２の上、すなわち、本体ユニット１１０とＴＰＵユニット１２０の間にフィルムフォルダ２４０が設置される。フィルムフォルダ２４０は、原稿台ガラス２１２上におけるフィルム用の読取位置にフィルムが設置されるように、フィルムの設置位置を案内するとともに、設置されたフィルムを読取位置に固定する部材である。
【００４５】
図３は、透過用光源部を示す分解斜視図である。つぎに、図３を用いて、透過用光源部の構成について説明する。図３に示すように、透過用光源部３００は、ＬＥＤ３０１と、ＬＥＤ３０１によって発光された光を伝播させる導光板３０２と、を備えている。導光板３０２によって、ＬＥＤ１個あたりの照射面積よりも広い面積を照射することができる。なお、図３中、導光板３０２に表記された仮想線は、導光板３０２における有効発光エリアを示している。
【００４６】
導光板３０２中を伝播された光は、プリズムシート３０３および拡散シート３０４を介して、支持フレーム３０５に設けられた開口部３０６から、原稿台ガラス２１２に向けて照射される。プリズムシート３０３および拡散シート３０４を介することにより、導光板３０２中を伝播された光をより広い面積に照射することができる。
【００４７】
透過用光源部３００において、導光板３０２を間にして開口部３０６とは反対側には、導光板３０２中を伝播された光を開口部３０６へ向けて反射させる反射板３０７が設けられている。反射板３０７を設けることによって、導光板３０２中を伝播された光を、効率よく原稿台ガラス２１２側へ照射することができる。
【００４８】
透過用光源部３００において、支持フレーム３０５の側方には、透過用光源部３００を駆動ベルト２２５に固定する固定部３０８が設けられている。固定部３０８は、原稿台ガラス２１２側から駆動ベルト２２５を狭持するように、上方に向けて開口している。支持フレーム３０５において、開口部３０６と固定部３０８との間であって、ＴＰＵハウジング２３０に設けられたガイドレール（図４参照）に対向する位置には、ガイドレールに嵌め込まれる溝３０９が設けられている。
【００４９】
また、透過用光源部３００において、支持フレーム３０５の固定部３０８とは反対側の側方であって、ＴＰＵハウジング２３０に設けられたガイド部材（図４参照）に対向する位置には、ガイド部材に嵌め込まれる溝３１０が設けられている。
【００５０】
図４は、透過用光源部３００の移動に関わる各部を示す斜視図である。つぎに、図４を用いて、透過用光源部３００の移動に関わる各部について説明する。図４においては、ＴＰＵハウジング２３０における上側ＴＰＵハウジングを取り外した状態のスキャナ装置１００が示されている。ＴＰＵハウジング２３０は、図４中符号４００で示すヒンジ機構における本体ユニット１１０とＴＰＵユニット１２０との連結部分を介して、本体ハウジング２１０に対して回動することで、原稿台ガラス２１２に対して接離自在とされている。
【００５１】
図４に示すように、ＴＰＵハウジング２３０には、透過用光源部３００と、透過用光源部３００を副走査方向に往復移動させる光源移動機構４０１と、が設けられている。光源移動機構４０１は、副走査方向に対向配置された一対のプーリ４０２，４０３を備えている。このプーリ４０２，４０３には、上述した駆動ベルト２２５が架け渡されている。実施の形態１においては、駆動ベルト２２５，プーリ４０２，４０３によって動力伝達機構が実現されている。
【００５２】
図示を省略するが、ＴＰＵハウジング２３０には、プーリ４０２をプーリ４０３から離反する方向へ付勢することで駆動ベルト２２５のテンションを調整するテンション調整機構が設けられている。テンション調整機構は、たとえば、プーリ４０２の回転軸を支持する支持部材や、この支持部材をプーリ４０３から離反する方向へ付勢するバネなどの付勢部材などを用いて実現することが可能である。
【００５３】
テンション調整機構における付勢部材は、スキャナキャリッジ２２０および透過用光源部３００を副走査方向に移動させる際に、駆動ベルト２２５の弛みなどによってスキャナキャリッジ２２０および透過用光源部３００の連動に支障をきたさない程度に、駆動ベルト２２５にテンションを与える付勢力を、プーリ４０２に作用させる。スキャナ装置１００においては、駆動ベルト２２５のテンションを、単一のテンション調整機構によって駆動ベルト２２５の全体に亘って調整することができる。
【００５４】
駆動ベルト２２５は、ＴＰＵハウジング２３０の外部に設けられたプーリ群４０４を介して、本体ハウジング２１０の内部へ導かれている。プーリ４０３とプーリ群４０４とは、主走査方向に対向している。駆動ベルト２２５は、プーリ４０３およびプーリ４０３の近傍に設けられたプーリ４０５によって方向を変えられてプーリ群４０４へ導かれている。
【００５５】
図４中符号４０６は上述した溝３０９が嵌め込まれるガイドレールであり、図４中符号４０７は上述した溝３１０が嵌め込まれるガイド部材である。また、図４中符号４０８は、透過用光源部３００から照射された光を原稿台ガラス２１２側に導くための開口部である。開口部４０８は、透過用光源部３００のうち、フィルムの読み取り範囲をカバーするように設けられている。
【００５６】
図５は、図４に示した斜視図を一部切断して示す斜視図である。図５には、図４に示した斜視図における本体ハウジング２１０を一部切断した状態が示されている。図５に示すように、ＴＰＵハウジング２３０の内部からプーリ群４０４へ導かれた駆動ベルト２２５は、本体ハウジング２１０の内部に設けられたプーリ群５０１を介して、プーリ５０２に架け渡されている。
【００５７】
プーリ５０２は、上述した従動プーリ２２４に対して、副走査方向に対向する位置に設けられている。上述したように、プーリ５０２はモータ２２２に連結されており、プーリ５０２と従動プーリ２２４との間には駆動ベルト２２５が架け渡されているため、プーリ５０２の回転にともなって駆動ベルト２２５が回転すると、駆動ベルト２２５によって従動プーリ２２４も回転する。これによって、撮像素子２１７が副走査方向に往復移動する。
【００５８】
また、プーリ５０２に伝達されたモータ２２２の駆動力は、駆動ベルト２２５を介してプーリ４０２，４０３に伝達される。これによって、プーリ４０２，４０３は、プーリ５０２の回転にともなって回転し、透過用光源部３００が副走査方向に往復移動する。実施の形態１においては、駆動ベルト２２５、プーリ５０２、プーリ群４０４，５０１によって連結機構が実現されている。
【００５９】
上述したように、実施の形態１のスキャナ装置１００によれば、本体ユニット１１０に対するＴＰＵユニット１２０の位置に拘わらず、撮像素子２１７に対して変位する透過用光源部３００を、撮像素子２１７の移動に連動させることができる。これによってスキャナ装置１００は、透過用光源部３００および撮像素子２１７の副走査方向における相対的な位置にずれが生じることによる、読み取り精度の低下を防止することができる。
【００６０】
また、実施の形態１のスキャナ装置１００によれば、透過用光源部３００および撮像素子２１７を、単一のモータ２２２の駆動力を用いて連動させることで、動力伝達機構の小型化およびスキャナ装置１００における消費電力の低減を図ることができる。これによってスキャナ装置１００は、フィルムの読み取り精度の向上を図るとともに、動力伝達機構の小型化およびスキャナ装置１００における消費電力の低減を図ることができる。そして、これによって利用者は、小型で消費電力を抑制したスキャナ装置１００を使用して、フィルムの画像を高精度に再現した画像データを得ることができる。
【００６１】
ここで、たとえば、モータ２２２の駆動力を、平歯車形状のギアやプーリの輪列によって、撮像素子移動機構２２３および動力伝達機構に伝達することを想定した場合、モータ２２２や撮像素子移動機構２２３および動力伝達機構におけるギアやプーリの回転軸心方向が平行になるように各回転軸心方向を揃える必要がある。このため、設計の自由度が低下し、部品点数が増加したり、画像読取装置が大型化したりすることが懸念される。
【００６２】
また、実施の形態１に示したように、連結機構がヒンジ機構の近傍を経由する構成をとる場合、ヒンジ機構における回転軸心方向と、モータ２２２や撮像素子移動機構２２３および動力伝達機構におけるギアやプーリの回転軸心方向とが異なる場合、平歯車形状のギアやプーリのみでは、モータ２２２の駆動力を撮像素子移動機構２２３および動力伝達機構に伝達することができない。
【００６３】
この対策として、たとえば、モータ２２２の駆動力を、斜歯車形状のギアやプーリを含むギアやプーリの輪列によって、撮像素子移動機構２２３および動力伝達機構に伝達することで、斜歯車形状のギアやプーリによって各回転軸心方向を変更することができるが、この場合、モータ２２２の駆動力を伝達するための機構が複雑になり、部品点数が増加したり、画像読取装置が大型化したりすることが懸念される。
【００６４】
これに対して、実施の形態１のスキャナ装置１００によれば、モータ２２２の駆動力を駆動ベルト２２５を用いて撮像素子移動機構２２３および動力伝達機構に伝達することで、プーリ４０２，４０３，５０２や従動プーリ２２４の軸芯方向と、プーリ群４０４，５０１の軸芯方向とが異なっている場合にも、モータ２２２で発生した駆動力を動力伝達機構および撮像素子移動機構２２３に伝達させて、透過用光源部３００および撮像素子２１７を副走査方向に連動させることができる。
【００６５】
これによってスキャナ装置１００は、設計の自由度の向上を図り、設計上の制限に起因して部品点数が増加したり、スキャナ装置１００が大型化したりすることを防止できる。そして、これによって利用者は、小型で消費電力を抑制したスキャナ装置１００を使用して、原稿の画像を高精度に再現した画像データを得ることができる。
【００６６】
また、実施の形態１のスキャナ装置１００によれば、１本の駆動ベルト２２５を用いて動力伝達機構と撮像素子移動機構２２３とを連動可能に連結することで、透過用光源部３００および撮像素子２１７を高精度に同期させて連動させることができる。これによってスキャナ装置１００は、フィルムの読み取り精度の向上を図ることができる。そして、これによって利用者は、消費電力を抑制した小型のスキャナ装置１００を使用して、フィルムの画像を高精度に再現した画像データを得ることができる。
【００６７】
また、スキャナ装置１００においては、１箇所で駆動ベルト２２５のテンションを調整することができる。これによってスキャナ装置１００は、テンション調整のための部品点数の増加やテンション調整のための部品を設けることによるスキャナ装置１００の大型化を抑えつつ、原稿の読み取り精度の向上を図ることができる。そして、これによって利用者は、消費電力を抑制した小型のスキャナ装置１００を使用して、原稿の画像を高精度に再現した画像データを得ることができる。
【００６８】
また、実施の形態１のスキャナ装置１００によれば、透過用光源部３００がＬＥＤ３０１によって構成されているため、透過用光源部３００の点灯直後からフィルムの読み取りが可能になり、ＬＥＤ３０１に代えて蛍光管を用いた場合と比較して照射光量の安定化を図ることができる。これによって、スキャナ装置１００は、フィルムの読み取りを迅速に開始するとともに、読み取り精度の向上を図ることができる。これによって、利用者は、高精度な画像データを迅速に得ることができる。
【００６９】
また、実施の形態１のスキャナ装置１００によれば、ＬＥＤ３０１を用いることによってＬＥＤ３０１に代えて蛍光管を用いた場合と比較して、消費電力を抑え、ランニングコストを低く抑えることができる。これによって利用者は、消費電力およびランニングコストの低いスキャナ装置１００を用いて、高精度な画像データを得ることができる。
【００７０】
（実施の形態２）
つぎに添付図面を参照して、この発明にかかる複合機の好適な実施の形態２を詳細に説明する。この実施の形態２は、この発明にかかる複合機の実施例を示す。実施の形態２においては、上述した実施の形態１と同一部分は同一符号で示し、説明を省略する。
【００７１】
図６は、実施の形態２にかかる複合機を示す斜視図である。実施の形態２にかかる複合機６００は、上述した実施の形態１で説明したスキャナ装置１００と、スキャナ装置１００が備える撮像素子２１７に入射された光の強弱に応じた画像を被記録媒体上に形成する画像形成装置としてのプリンタ６０１と、を備えている。
【００７２】
スキャナ装置１００とプリンタ６０１とは、図示しない通信Ｉ／Ｆを介して相互通信可能に接続されている。スキャナ装置１００は、撮像素子２１７に入射された光の強弱に応じた画像データをプリンタ６０１へ出力する。
【００７３】
プリンタ６０１は、紙などの被記録媒体に画像を形成するプリンタエンジンを備えている。公知の技術であるため図示および説明を省略するが、プリンタエンジンにおける画像形成方式は、たとえば、インクジェット方式、静電転写方式、昇華転写方式など、各種の方式を適用することができる。
【００７４】
このような構成を備える複合機６００において、プリンタ６０１は、スキャナ装置１００から出力された画像データに基づいて、紙などの被記録媒体に画像を形成する。
【００７５】
このような複合機６００によれば、スキャナ装置１００における透過用光源部３００および撮像素子２１７を、単一のモータ２２２の駆動力を用いて連動させることができる。これによって複合機６００は、消費電力の増加および複合機６００の大型化を抑えながら、原稿を精度よく再現した画像を紙などの被記録媒体に形成することができる。そして、これによって利用者は、消費電力を抑制した小型の複合機６００を使用して、高精度な画像データを得ることができる。
【図面の簡単な説明】
【００７６】
【図１】実施の形態１にかかるスキャナ装置の外観を示す斜視図。
【図２】実施の形態１にかかるスキャナ装置の縦断正面図。
【図３】透過用光源部を示す分解斜視図。
【図４】透過用光源部の移動に関わる各部を示す斜視図。
【図５】図４に示した斜視図を一部切断して示す斜視図。
【図６】実施の形態２にかかる複合機を示す斜視図。
【符号の説明】
【００７７】
１００  スキャナ装置、１２０  ＴＰＵユニット、２１２  原稿台ガラス、２１７  撮像素子、２２２  モータ、２２３  撮像素子移動機構、２２５  駆動ベルト、３００  透過用光源部、３０１  ＬＥＤ、４００  ヒンジ機構、６００  複合機、６０１  プリンタ
【図１】
2008039798.tif 000003
【図２】
2008039798.tif 000004
【図３】
2008039798.tif 000005
【図４】
2008039798.tif 000006
【図５】
2008039798.tif 000007
【図６】
2008039798.tif 000008